(57)【要約】      （修正有）【課題】幅の異なる側溝に対応することができ、水の流れを妨げることなく水路を堰き止め、水中の浮遊塵や堆積塵を効果的に除去できる側溝用清掃具を提供する。【解決手段】側溝２に載置させるための基台１０に柄部２０を設け、先端に把持部３０を設けて構成された側溝用清掃具１であって、基台に設けられたレール４０に、多孔質部材からなる複数の堰き止め板５０ａ，５０ｂをスライド可能に取り付けた。側溝の幅に合わせて堰き止め板をスライドさせることで、多様な水路幅の側溝を効果的に堰き止めることができる。【選択図】図６
2014092011.tif 000002
【特許請求の範囲】
【請求項１】
側溝（２）に載置させるための基台（１０）に柄部（２０）を設け、先端に把持部（３０）を設けて構成された側溝用清掃具（１）であって、
前記基台（１０）にレール（４０）を設け、多孔質部材からなる複数の堰き止め板（５０ａ，５０ｂ）を、前記レール（４０）にスライド可能に取り付けたことを特徴とする側溝用清掃具。
【請求項２】
前記複数の堰き止め板（５０ａ，５０ｂ）を、夫々が回動可能に前記レール（４０）に取り付けたことを特徴とする請求項１に記載の側溝用清掃具。
【請求項３】
前記基台（１０）に、溝内の移動を可能とする車輪（１２）を設けたことを特徴とする請求項１又は請求項２に記載の側溝用清掃具。
【発明の詳細な説明】
【技術分野】
【０００１】
本発明は、水の流れを妨げることなく側溝内の塵を除去するための清掃具に関し、特に、幅の異なる側溝にも使用可能な側溝用清掃具に関する。
【背景技術】
【０００２】
田圃の周りにはりめぐらされた水路や、家屋の周りに設けられた雨水の排水路など、側溝の中の浮遊物や堆積物を除去するための清掃作業においては、水の円滑な流れを確保しつつ行われることが要求される。
図１４に示すように、田圃の周りには、河川から水を引く用水路、そして更に支流の水路など、多数の側溝がはり巡らされている。側溝と農道との間の非舗装帯や田圃の畔など（図中斜線部）には、田植えが始まる４〜５月ごろには雑草が多量に生えるが、図１５に示すように、側溝の脇の雑草を刈込機で刈った場合に、刈り取られた草が側溝内に落下してしまうことがある。
刈り取られた草が下流に流れていくと、水田への導入口に設けられたマスに溜り、清掃作業に多大な労力が必要となる上に、万一、水田の中に進入してしまうと、農作物に多大な被害を及ぼす。
【０００３】
このため、農業用水用の側溝内の塵を効果的に除去するための用具として、水路幅に応じた長さの支軸棒に、スリット状の堰き止め板を回動可能に設けて構成された除草器具が提案されている（特許文献１を参照）。
この除草器具の堰き止め板は、水路幅に対応した長さの上下２本の枠体の間に、複数の長歯杆を等間隔に設けて構成されたもので、下流側から上流側に斜めに配置できるように構成することで、水路の円滑な流れを確保しつつ、浮遊物を効率よく回収できるようにしている。また、支軸棒の両端に定着機構を設けることで、用水路の適所に適宜設置できるようにしている。  
【０００４】
また、家屋周りの溝を清掃するための用具として、コーン状の本体に柄を取り付けて構成された清掃具も提案されている（特許文献２を参照）。清掃具本体は、塵の取入口から後方に向けて縮径しており、後端の閉塞部に、水の流通を確保するための排出孔を設けている。
この清掃具は、側溝内に差し込んだ際に、溝の形状に沿うように、本体の底部が変形可能となっている。
【先行技術文献】
【特許文献】
【０００５】
【特許文献１】特開２００８−２０２２８５号公報
【特許文献２】特開２００７−２７７８３９号公報
【発明の概要】
【発明が解決しようとする課題】
【０００６】
しかしながら、特許文献１の除草器具は、堰き止め板よりも側溝の幅の方が広い場合は、浮遊物が脇からすり抜けていくので、堰き止めることができないし、側溝よりも堰き止め板の幅の方が広い場合は、側溝内に設置することができない。
特に、田圃の脇の側溝などは、水路の幅もまちまちなので、水路の幅に合わせてサイズの異なる器具が必要となり、汎用性に乏しい。
また、定着機構が堰き止め板の両側に設けられているので、地面に設置する際には、しゃがみ込む必要がある。このため、上流から下流に向けて設置場所を変えながら、側溝内の清掃作業を行う場合は、多大な負担となる。
【０００７】
特許文献２の清掃具は、側溝の形状に合わせて本体の底部が変形するので、溝の堆積塵を確実に回収することはできるが、幅の広い側溝には使用できない。また、溝の底部近傍に堆積している塵しか堰き止めることができないので、農業用水路などのように流量が多く、深さのある溝には使用できない。
そこで、本発明は、側溝の幅の相違に柔軟に対応することができ、水の流れを妨げることなく水路を堰き止め、水中の浮遊塵や堆積塵を効果的に除去できる側溝用清掃具の提供を目的とする。
【課題を解決するための手段】
【０００８】
上記課題を解決するために、本発明は、側溝に載置させるための基台に柄部を設け、先端に把持部を設けて構成された側溝用清掃具であって、前記基台にレールを設け、多孔質部材からなる複数の堰き止め板を、前記レールにスライド可能に取り付けたことを特徴とするものである。
この場合、前記複数の堰き止め板を、夫々が回動可能に前記レールに取り付けて構成してもよい。
また、前記基台に、溝内の移動を可能とする車輪を設けてもよい。
【発明の効果】
【０００９】
請求項１の側溝用清掃具は、側溝に載置させるための基台にレールを設け、そのレールに、多孔質部材からなる複数の堰き止め板をスライド可能に取り付けたので、側溝の幅に合わせて堰き止め板をスライドさせることで、１枚分の幅から複数枚分の幅に至る、多様な水路幅の側溝を効果的に堰き止めることができる。
また、多孔質部材によって堰き止め板を構成したので、円滑な水流を妨げることなく、水中の浮遊塵や堆積塵を除去することが可能となる。
さらに、側溝に設置させるための基台に柄部を設け、その先端に把持部を設けたので、草刈機などで側溝近傍の雑草を刈りながら、側溝内に落ちた刈草を回収する際に、しゃがみこむことなく、所望の位置に設置することができる。
【００１０】
請求項２に係る側溝用清掃具は、堰き止め板が回動可能なので、水の流れに対して傾斜状に対面させて配置することができ、板面に対する流水の抵抗を弱めることができる。また、堰き止められた浮遊性の塵を、水流によって上方へと押しやることができるので、水の円滑な流れを確保しつつ、刈草などの浮遊物を効率よく回収することが可能となる。
請求項３に係る側溝用清掃具は、基台の底部に車輪が設けられているので、溝内を移動させながら所望の位置に設置することができる。また、移動させながら堰き止め板で溝の底を浚うことができるので、側溝内の堆積物を効果的に除去することができる。
【図面の簡単な説明】
【００１１】
【図１】本実施形態に係る側溝用清掃具を示す正面図である。
【図２】上記側溝用清掃具の使用状態を示す斜視図であり、（ａ）は幅の狭い側溝に使用した状態、（ｂ）は幅の広い側溝に使用した状態を示す。
【図３】上記側溝用清掃具を示し、（ａ）は背面図であり、（ｂ）は側面図である。
【図４】レールに堰き止め板が取り付けられる状態を示す部分正面図であり、（ａ）は幅の狭い側溝に使用する状態、（ｂ）堰き止め板をスライドさせて幅の広い側溝に使用する状態を示す。
【図５】図４のＡ−Ａ線矢視図であり、（ａ）は回動させる前、（ｂ）堰き止め板を回動させた状態を示す。
【図６】幅の広い側溝に使用する状態を示す正面図であり、（ａ）は側溝に設置させた状態、（ｂ）は堰き止め板をスライドさせた状態を示す。
【図７】堰き止め板を回動させて塵を回収する状態を示し、（ａ）は正面図であり、（ｂ）は側面図である。
【図８】上記レールの第１変形例を示す部分説明図であり、（ａ）は正面から見た状態、（ｂ）はＡ−Ａ線矢視図である。
【図９】上記レールの第２変形例を示す部分説明図であり、（ａ）は正面から見た状態、（ｂ）はＡ−Ａ線矢視図である。
【図１０】上記レールの第３変形例を示す部分正面図であり、（ａ）は堰き止め板の透孔が開孔している状態、（ｂ）は堰き止め板をスライドさせて遮蔽する状態を示す。
【図１１】本発明の第２実施形態に係る側溝用清掃具の使用状態を示す正面図である。
【図１２】上記側溝用清掃具を示し、（ａ）は正面図であり、（ｂ）は側面図である。
【図１３】上記側溝用清掃具のレールへの堰き止め板の係合状態を示し、（ａ）は部分側面図であり、（ｂ）は部分平面図であり、（ｃ）は（ｂ）において堰き止め板をスライドさせた状態を示す。
【図１４】田圃の周りにはり巡らされた側溝を示す説明図である。
【図１５】側溝の脇の雑草を刈っている状態を示す斜視図である。
【発明を実施するための形態】
【００１２】
本発明の好適な実施形態について、添付図面に基づいて説明する。  
【実施例１】
【００１３】
図１は、本発明の第１実施形態に係る側溝用清掃具１を示す正面図である。
この側溝用清掃具１は、図２に示すように、田圃の周りにはりめぐらされた水路、家屋の周りに設けられた排水路などの側溝２を堰き止めて、その中の浮遊物や堆積物を除去する際に、水の円滑な流れを確保した状態で清掃作業が行えるようにするためのものである。
本実施形態に係る側溝用清掃具１は、図３に示すように、側溝２に載置させるための基台１０に、柄部２０を設け、その先端に把持部３０を設けて構成されたものである。
【００１４】
基台１０には、レール４０が設けられており、そのレール４０には、複数の堰き止め板５０ａ，５０ｂがスライド可能に取り付けられている。
即ち、基台１０は、側溝２に載置させるために２本の支持杆１１を設け、下端に車輪１２を設けて構成される。２本の支持杆１１には、底板１３が架設されており、底板１３には、安定性を高めるための脚部１４が設けられている。底板１３は支持杆１１に対して回動し、脚部１４は底板１３に対して回動するように構成することで、堰き止め板５０の傾斜状態を調節できるようにしている。
【００１５】
この基台１０の上端部には、断面円形の棒状のレール４０が架設されている。このレール４０の高さ（Ｈ）は、側溝の深さに合わせて設計されており、本実施形態においては、規格サイズの側溝ブロックのうち、比較的小さいサイズの深さに対応させている。
レール４０は、図４に示すように、２枚の堰き止め板５０ａ，５０ｂを、夫々が左右方向にスライドし、なおかつ、図５に示すように、レール４０を支軸として回動するように、基台１０へと取り付けるためのものである。
即ち、断面円形の１本のレール４０に、堰き止め板５０の上端に設けられたリング状の取付部５１を環挿することで、レール４０を中心として夫々の堰き止め板５０が回動するようになっている（図５（ｂ）を参照）。
【００１６】
堰き止め板５０ａ，５０ｂは、レール４０に沿って夫々左右方向にスライドされるが、レール４０の両端部には、堰き止め板５０が抜け落ちるのを防止するための抜け止め部４１が設けられており、取付部５１の内周面に設けられた係止部５２に係止される。
このように、２枚の堰き止め板５０ａ，５０ｂをスライド可能にレール４０に取り付けたことで、堰き止め可能な幅を約２倍にすることが可能となり、多様な水路幅の側溝２に柔軟に対応させることができる（図６を参照）。
【００１７】
また、取付部５１を、堰き止め板５０上端部の左側か右側かのいずれか一方に設けることで、２枚の堰き止め板５０ａ，５０ｂを、１本のレールに枢着された状態で重なり合わせることが可能となる。これによって、２枚の堰き止め板５０ａ，５０ｂをスライドさせるためのレール４０を共通化することができ、１本のレール４０を、レールと回動支軸の２つの用途に使用することが可能となる。
この堰き止め板５０は、多孔質部材によって構成されており、流水に対面させて配置した際に、板面を通して水の流通が可能となるように、多数の透孔を設けた構造となっている。孔の大きさは、水中の塵の大きさに合わせて設計されており、横方向に長い孔とすることで、スライドした際に、孔が塞がってしまうのを防止できる。
【００１８】
なお、堰き止め板５０は、円滑な水流を確保した状態で、水中の浮遊物や堆積物のみを堰き止めることができる構造であれば、網状または格子状の板部材であってもよい。材質は、防錆処理の施された鉄鋼、ステンレス鋼、又はアルミニウムなどの金属素材、或いは硬質プラスチックや繊維強化プラスチックなどの合成樹脂製の素材などが好ましい。
堰き止め板５０の横方向の長さ（Ｗ）は、規格サイズの側溝ブロックに合わせて設定される。即ち、規格サイズのうち最小幅の側溝ブロックの断面形状と略同一サイズに設計することで、１つの側溝用清掃具１で多様な側溝の清掃に使用することが可能となる。
【００１９】
縦方向の長さ（Ｌ）は、レール４０まで高さ（Ｈ）よりも長く設定されている（図３を参照）。
このように設計することで、水の流れに対して傾斜状に堰き止め板５０を設置することが可能となる。これによって、堰き止め板に対する水流の抵抗を弱めることができる上に、堰き止められた浮遊性の塵を、水流によって上方へと押しやることが可能となる。
【００２０】
基台１０の上端には、柄部２０が上方に向けて設けられている。本実施形態においては、基台１０の支持杆１１を延長させて２本の柄部２０ａ，２０ｂを構成している。
２本の柄部２０ａ，２０ｂの上端には、把持部３０が架設されており、その把持部３０を押して側溝用清掃具１を移動させることで、所望の位置に設置することができる。
上記構成の側溝用清掃具１の使用状態を説明する。
【００２１】
図２に示すように、側溝２の中の所望の位置に側溝用清掃具１を載置する。そして、溝幅全体に行き渡るように、堰き止め板５０をスライドさせる。
草刈機を使用した場合などは、撒き散らされた刈草が多量に側溝内に落下するので、作業位置より下流側に、側溝用清掃具１を設置する。この状態で草刈を行うことで、側溝内に落下した刈草が、堰き止め板５０によって堰き止められ、下流へと流れていくのを防止できる。
【００２２】
堰き止められた刈草を回収する場合は、図７に示すように、堰き止め板５０ａを回動させる。また、堰き止めた状態で溝内を移動させることで、溝内の堆積物を浚えることもできる。
このように、本実施形態の側溝用清掃具１は、基台１０にレール４０を設け、そのレール４０に、多孔質部材からなる複数の堰き止め板５０ａ，５０ｂをスライド可能に取り付けたので、堰き止め板５０をスライドさせるだけで、溝幅の異なる多様な側溝２に使用することが可能となる。
【００２３】
また、基台１０に車輪１２が設けられているので、草刈作業を行う位置に合わせて側溝用清掃具１を移動させたり、溝内の塵を浚えることが可能となる。加えて、堰き止め板５０がレール４０を中心として回動するので、立ったままの姿勢で、堰き止め板５０の上側縁を持って回動させるだけで、溝内の塵の回収することができる。
側溝用清掃具１を設置し、溝内の塵を浚え、溝内の塵を回収する、という一連の清掃作業を、しゃがみ込むことなく行えるので、作業負担が飛躍的に軽減される。
【００２４】
なお、本発明の側溝用清掃具は、上記実施形態の構成に限定されるものではなく、例えば、図８に示すように、レール４２を３本以上並列し、堰き止め板５０を３枚以上設けてもよい。
また、堰き止め板が回動かつスライドするようにレールに取り付ける構成は、いかなる態様であってもよく、例えば、図９に示すように、溝状のレール４３に、ベアリング状の取付部５３を介して、堰き止め板５０を取り付けてもよい。
また、堰き止め板５０の先端や両側に、ゴムなどの軟性部材５４を取り付け、側溝２の壁面形状に応じて変形されるようにしてもよい。
【００２５】
さらに、堰き止め板５０は、水を堰き止めた状態で清掃作業を行うことができるようにするため、図１０（ｂ）に示すように、夫々の堰き止め板５０ａ，５０ｂの透孔５５が重なり合わない位置で固定されるようにしてもよい。そして、遮蔽状態と開孔状態の選択ができるように設計してもよい。
この場合、堰き止め板５０における透孔５５を、列ごと互い違いになるように配列し、透孔５５のピッチに合わせて等間隔にスライドするようにレール４０の構造を設計するのが好ましい。等間隔にスライドする方法としては、例えば、レール４０と堰き止め板５０の取付部５１に、ラチェット歯４４、５６を形成し、相互に噛合させることで、一定のピッチで停止しながらスライドさせることができる。
【実施例２】
【００２６】
図１１は、本発明の第２実施形態に係る側溝用清掃具１００を示す正面図である。
この側溝用清掃具１００は、図１２に示すように、側溝２に載置させるための基台１１０に、柄部１２０を設け、その先端に把持部１３０を設けて構成されたものであり、基台１１０に取り付けられたレール１４０に複数の堰き止め板１５０ａ，１５０ｂをスライド可能に設けている。
本実施形態の基台１１０は、側溝２の底に載置可能な板状部材であり、前方の縁部に沿って、溝状のレール１４０が取り付けられている。
【００２７】
レール１４０には、図１３に示すように、２条のレール溝１４１ａ，１４１ｂが設けられおり、夫々のレール溝１４１ａ，１４１ｂに堰き止め板１５０ａ，１５０ｂが嵌め込まれている。  
レール１４０の長さは適宜設計が可能である。レール１４０の長さを、堰き止め板１５０の横方向の長さと略同一に設計すれば、堰き止め板１５０を左右方向にスライドさせた際に、約２倍の幅とすることができる。なお、３条のレール溝を設け、３枚の堰き止め板を取り付けると、約３倍の幅の側溝に対応可能となる。
【００２８】
堰き止め板５０は多孔質部材によって構成されており、水流に対面させて配置した際に、板面を通して水の流通が可能となるように、第１実施形態のものと同様、多数の透孔を設けた構造、または網目状や格子状となっている。
基台１１０の中央から上方に向けて、柄部１２０が立設されており、柄部１２０の中間部に設けられたレール１４２に、堰き止め板１５０の上端が、スライド可能に受けられる。基台１１０の前縁部に設けられた下方レール１４０と、柄部１２０の中間部に設けられた上方レール１４２との間で、堰き止め板１５０は傾斜状に配設されることとなる。
【００２９】
垂直方向に伸びる柄部１２０は、２本のパイプを、長さ調節用のネジ１２１を介して接続して構成される。
柄部１２０の上端から、把持部１３０が左右方向に延びている。その先端にはハンドル１３１が設けられている。
本実施形態の側溝用清掃具１００も、側溝２の中の所定の位置に載置し、側溝２の幅全体を塞ぐように、堰き止め板１５０をスライドさせて使用することで、円滑な流水を妨げることなく、側溝の中の浮遊塵や堆積塵が下流へと流されるのを防止できる。
【００３０】
家屋周りの溝を清掃する際に使用する場合、上流から下流に向けて堰き止める位置をずらしながら作業を行えるので、塵が隣家の排水溝に流れて行く心配がない。
また、ハンドル１３１を持って手軽に移動させることができるので、しゃがみ込むことなく、楽な姿勢で清掃作業を行うことができる。
【産業上の利用可能性】
【００３１】
本発明は、農業用や家庭用に限らず、あらゆる産業分野で使用される側溝用清掃具に適用することができる。  
【符号の説明】
【００３２】
１，１００…側溝用清掃具
２…側溝
１０，１１０…基台
１１…支持杆
１２…車輪
１３…底板
１４…脚部
２０，１２０…柄部
３０，１３０…把持部
１３１…ハンドル
４０，４２，４３，１４０…レール
４１…抜け止め部
４４,５６…ラチェット歯
１４１…レール溝
５０，１５０…堰き止め板
５１，５３…取付部
５２…係止部
５４…軟性部材
５５…透孔
【図１】
2014092011.tif 000003
【図２】
2014092011.tif 000004
【図３】
2014092011.tif 000005
【図４】
2014092011.tif 000006
【図５】
2014092011.tif 000007
【図６】
2014092011.tif 000008
【図７】
2014092011.tif 000009
【図８】
2014092011.tif 000010
【図９】
2014092011.tif 000011
【図１０】
2014092011.tif 000012
【図１１】
2014092011.tif 000013
【図１２】
2014092011.tif 000014
【図１３】
2014092011.tif 000015
【図１４】
2014092011.tif 000016
【図１５】
2014092011.tif 000017